(57)【要約】【課題】部品点数を削減できるとともに、支持機構の大型化を抑制可能な回折素子およびそれを備えた光ピックアップ装置を提供する。【解決手段】光ピックアップ装置１は、ＢＤ光を４分割センサＳ１に導くＤＯＥ２００と、光学系を収容するハウジングＨに設けられ、ＤＯＥ２００を支持する支持部３００と、支持部３００にＤＯＥ２００を押し付けるバネ部材４００と、を備える。ＤＯＥ２００は、一方向に延びた回転軸２０１と、片面に回折構造２０３を備えた板部２０２とが一体成形された構成を備える。支持部３００は、回転軸２０１が回転可能で、且つ、長手方向に移動可能に載置される溝部３０４ａ、３０４ｂを備える。バネ部材４００は、溝部３０４ａ、３０４ｂに載置された回転軸２０１の上面を押さえる押さえ部４０４ａ、４０４ｂを備える。【選択図】図６
2015122131.tif 000002
【特許請求の範囲】
【請求項１】
一方向に延びた回転軸と、
前記回転軸に垂直な方向に延び片面に回折構造を備えた板部と、が一体成形され、
前記板部の前記回転軸に対する連結位置によって、前記回転軸が長手方向に第１の軸部と第２の軸部に区分される、
ことを特徴とする回折素子。
【請求項２】
請求項１に記載の回折素子において、
前記回折素子は、樹脂材料からなっている、
ことを特徴とする回折素子。
【請求項３】
請求項１または２に記載の回折素子において、
前記第１の軸部と前記第２の軸部には、それぞれ、円形の周面を有する第１の円柱部と第２の円柱部が形成されている、
ことを特徴とする回折素子。
【請求項４】
請求項１ないし３の何れか一項に記載の回折素子において、
前記板部は、前記回転軸から一方向に延びるように、前記回転軸に延設され、
前記板部の、前記回転軸から離れる離間方向の端部に、当該離間方向に突出した突部が形成されている、
ことを特徴とする回折素子。
【請求項５】
請求項１ないし４の何れか一項に記載の回折素子において、
前記板部の、前記回折構造が形成された面と反対側の面の光透過領域が、当該光透過領域の周囲の領域よりも、面精度が高められている、
ことを特徴とする回折素子。
【請求項６】
請求項１ないし５の何れか一項に記載の回折素子において、
前記板部の接着剤が塗布される塗布領域を前記回転軸に平行な方向に拡張する構造が、前記板部に一体的に形成されている、
ことを特徴とする回折素子。
【請求項７】
請求項６に記載の回折素子において、
前記回転軸に交差する前記板部の２つの面の少なくとも一方に、前記塗布領域を前記回転軸に平行な方向に拡張するための隆起部が一体的に形成されている、
ことを特徴とする回折素子。
【請求項８】
請求項７に記載の回折素子において、
前記隆起部は、前記板部の側面に沿うように形成された鍔部である、
ことを特徴とする回折素子。
【請求項９】
第１のレーザ光を出射する第１の発光部および前記第１のレーザ光と波長が異なる第２のレーザ光を出射する第２の発光部が同一パッケージ内に設置されたレーザ光源と、
ディスクによって反射された前記第１のレーザ光を受光するセンサを備える光検出器と、
ディスクによって反射された前記第２のレーザ光の少なくとも一部を前記センサに導く回折素子と、
光学系を収容するハウジングに設けられ、前記回折素子を支持する支持部と、
前記支持部に前記回折素子を押し付けるバネ部材と、を備え、
前記回折素子は、一方向に延びた回転軸と、前記回転軸に垂直な方向に延び片面に回折構造を備えた板部と、が一体成形され、前記板部の前記回転軸に対する連結位置によって、前記回転軸が長手方向に第１の軸部と第２の軸部に区分され、
前記支持部は、前記第１の軸部と前記第２軸部が、それぞれ、前記回転軸を中心に回転可能、且つ、前記回転軸の長手方向に移動可能に載置される第１の溝部と第２の溝部を備え、
前記バネ部材は、前記第１の溝部に載置された前記第１の軸部の上面と、前記第２の溝部に載置された前記第２の軸部の上面をそれぞれ押さえる第１および第２の押さえ部を備える、
ことを特徴とする光ピックアップ装置。
【請求項１０】
請求項９に記載の光ピックアップにおいて、
前記第１の軸部と前記第２の軸部には、それぞれ、円形の周面を有する第１の円柱部と第２の円柱部が形成され、
前記第１の溝部と前記第２の溝部には、それぞれ、前記第１の円柱部と前記第２の円柱部が載置される、
ことを特徴とする光ピックアップ装置。
【請求項１１】
請求項９または１０に記載の光ピックアップ装置において、
前記板部は、前記回転軸から一方向に延びるように、前記回転軸に延設され、
前記板部の、前記回転軸から離れる離間方向の端部に、当該離間方向に突出した突部が形成され、
前記支持部は、前記第１および第２の溝部の間に、前記板部を収容し、且つ、上部か開口した収容部を備え、前記開口部の底に、前記突部を外部に露出させる開口が形成されている、
ことを特徴とする光ピックアップ装置。
【請求項１２】
請求項９ないし１１の何れか一項に記載の光ピックアップ装置において、
前記板部の接着剤が塗布される塗布領域を前記回転軸に平行な方向に拡張する構造が、前記板部に一体的に形成され、
前記塗布領域と前記支持部との間に接着剤が塗布される、
ことを特徴とする光ピックアップ装置。
【請求項１３】
請求項１２に記載の光ピックアップ装置において、
前記回転軸に交差する前記板部の２つの面の少なくとも一方に、前記塗布領域を前記回転軸に平行な方向に拡張するための隆起部が一体的に形成されている、
ことを特徴とする光ピックアップ装置。
【請求項１４】
請求項１３に記載の光ピックアップ装置において、
前記隆起部は、前記板部の側面に沿うように形成された鍔部である、
ことを特徴とする光ピックアップ装置。
【請求項１５】
請求項１２ないし１４の何れか一項に記載の光ピックアップ装置において、
前記支持部の前記塗布領域に対向する位置に傾斜面が設けられ、当該傾斜面と前記塗布領域との間に接着剤が塗布される、
ことを特徴とする光ピックアップ装置。
【発明の詳細な説明】
【技術分野】
【０００１】
本発明は、回折素子およびそれを備えた光ピックアップ装置に関し、特に、複数波長のレーザ光を光ディスクに照射する場合に用いて好適なものである。
【背景技術】
【０００２】
従来、複数の記録媒体に対応した互換型の光ピックアップ装置が開発されている。かかる光ピックアップ装置では、異なる波長のレーザ光を用いて情報の読み書きが行われる。この種の光ピックアップ装置で用いられる半導体レーザとして、異なる波長の２つのレーザ光を出射する２波長レーザが知られている（たとえば、特許文献１）。さらに、近年では、異なる波長の３つのレーザ光を出射する３波長レーザが用いられることもある。
【０００３】
このように異なる波長のレーザ光を出射する半導体レーザを用いることにより、部品点数の削減を図ることができる。さらに、異なる波長のレーザ光の光軸を光検出器上において一致させることにより、光検出器のセンサレイアウトを簡素化することができる。ここで、２つのレーザ光の光軸を一致させるための光学素子として、たとえば、回折素子が用いられる（たとえば、特許文献２）。
【先行技術文献】
【特許文献】
【０００４】
【特許文献１】特開２００１−２３０５０１号公報
【特許文献２】特開２００６−９９９４１号公報
【発明の概要】
【発明が解決しようとする課題】
【０００５】
上記のように回折素子によって光軸調整を行う場合、レーザ光の光軸に平行な直線方向と、レーザ光の光軸を中心とする回転方向に、回折素子を位置調整する必要がある。このため、光ピックアップ装置には、回折素子を直線方法と回転方向に変位可能とするための機構が必要となる。かかる機構は、一般に、回折素子を保持するホルダと、ホルダを直線方向および回転方向に変位させるための支持機構とを備える。しかしながら、かかる構成では、回折素子の調整のために、部品点数が増大し、且つ、ホルダを含む支持機構が大型化するとの問題が生じる。
【０００６】
本発明は、かかる課題を解消するためになされたものであり、部品点数を削減できるとともに、支持機構の大型化を抑制可能な回折素子およびそれを備えた光ピックアップ装置を提供することを目的とする。
【課題を解決するための手段】
【０００７】
本発明の第１の態様は、回折素子に関する。この態様に係る回折素子は、一方向に延びた回転軸と、前記回転軸に垂直な方向に延び片面に回折構造を備えた板部と、が一体成形されている。そして、前記板部の前記回転軸に対する連結位置によって、前記回転軸が長手方向に第１の軸部と第２の軸部に区分される。
【０００８】
本発明の第２の態様は、光ピックアップ装置に関する。この態様に係る光ピックアップ装置は、第１のレーザ光を出射する第１の発光部および前記第１のレーザ光と波長が異なる第２のレーザ光を出射する第２の発光部が同一パッケージ内に設置されたレーザ光源と、ディスクによって反射された前記第１のレーザ光を受光するセンサを備える光検出器と、ディスクによって反射された前記第２のレーザ光の少なくとも一部を前記センサに導く
回折素子と、光学系を収容するハウジングに設けられ、前記回折素子を支持する支持部と、前記支持部に前記回折素子を押し付けるバネ部材と、を備える。ここで、前記回折素子は、一方向に延びた回転軸と、前記回転軸に垂直な方向に延び片面に回折構造を備えた板部と、が一体成形され、前記板部の前記回転軸に対する連結位置によって、前記回転軸が長手方向に第１の軸部と第２の軸部に区分される。また、前記支持部は、前記第１の軸部と前記第２軸部が、それぞれ、前記回転軸を中心に回転可能、且つ、前記回転軸の長手方向に移動可能に載置される第１の溝部と第２の溝部を備える。さらに、前記バネ部材は、前記第１の溝部に載置された前記第１の軸部の上面と、前記第２の溝部に載置された前記第２の軸部の上面をそれぞれ押さえる第１および第２の押さえ部を備える。
【発明の効果】
【０００９】
本発明によれば、部品点数を削減できるとともに、支持機構の大型化を抑制可能な回折素子およびそれを備えた光ピックアップ装置を提供することができる。
【００１０】
本発明の特徴は、以下に示す実施の形態により更に明らかとなろう。ただし、以下の実施の形態は、あくまでも本発明の一つの実施形態であって、本発明ないし各構成要件の用語の意義は、以下の実施の形態により何ら制限されるものではない。
【図面の簡単な説明】
【００１１】
【図１】実施の形態に係る光ピックアップ装置の光学系を示す図である。
【図２】実施の形態に係る受光面上における照射位置を説明する図および受光面上に配される４分割センサを示す図である。
【図３】実施の形態に係るＤＯＥが支持部に設置された状態を示す図である。
【図４】実施の形態に係るＤＯＥの構成を示す図である。
【図５】実施の形態に係る支持部とバネ部材の構成を示す図である。
【図６】実施の形態に係るＤＯＥの設置工程を説明する図である。
【図７】実施の形態に係るＤＯＥの調整工程を説明する図である。
【図８】実施の形態に係るＤＯＥの調整工程を説明する図である。
【図９】変更例に係るＤＯＥの構成を示す図である。
【図１０】変更例に係るＤＯＥに対する接着剤の塗布作業を説明する図である。
【発明を実施するための形態】
【００１２】
本実施の形態は、ＢＤ（Blu-ray Disc）、ＤＶＤ（Digital Versatile Disc）およびＣＤ（Compact Disc）にレーザ光を照射する光ピックアップ装置に本発明を適用したものである。
【００１３】
図１（ａ）、（ｂ）は、実施の形態に係る光ピックアップ装置１の光学系を示す図である。図１（ａ）は光学系を光ピックアップ装置１の表側から（ｙ軸正方向に）見た場合の平面図、図１（ｂ）は対物レンズアクチュエータ１２２周辺部分を側面側から見た内部透視図、図１（ｃ）は半導体レーザ１０１における発光部の配置状態を示す図である。なお、図１（ａ）〜（ｃ）には、それぞれ、互いに直交する３次元座標軸が付記されている。これら座標軸のうち、ｘ軸は、レーザ光源１０１の出射方向に平行であり、ｙ軸は、対物レンズ１０８の光軸に平行であり、ｚ軸は、コリメータレンズ１０５の光軸に平行である。
【００１４】
図１（ａ）を参照して、光ピックアップ装置１は、半導体レーザ１０１と、回折格子１０２と、ＰＢＳミラー１０３と、１／４波長板１０４と、コリメータレンズ１０５と、レンズアクチュエータ１０６と、立ち上げミラー１０７と、対物レンズ１０８と、回折光学素子（ＤＯＥ）２００と、非点収差板１０９と、光検出器１１０を備える。これら光学系の各部は、光ピックアップ装置１のハウジングＨ（図３参照）に設置されている。
【００１５】
半導体レーザ１０１は、波長４００ｎｍ程度のレーザ光（以下、「ＢＤ光」という）と、波長６５０ｎｍ程度のレーザ光（以下、「ＤＶＤ光」という）と、波長７８０ｎｍ程度のレーザ光（以下、「ＣＤ光」という）を同一方向に出射する。
【００１６】
図１（ｃ）に示すように、半導体レーザ１０１は、一つのパッケージに、ＢＤ光、ＤＶＤ光、ＣＤ光をそれぞれ出射する発光部１０１ａ、１０１ｂ、１０１ｃを備える。発光部１０１ｂ、１０１ｃは、基板１０１ｅ上に間隔がｗ２となるように一体的に形成されている。発光部１０１ａは、基板１０１ｅとは異なる基板１０１ｄ上に、発光部１０１ａ、１０１ｂの間隔がｗ１（ｗ１＝ｗ２）となるように形成されている。基板１０１ｄ、１０１ｅは、サブマウント１０１ｆ上に設置されている。発光部１０１ａ〜１０１ｃは、一直線上に並ぶように形成されている。半導体レーザ１０１以降の光学系は、その光軸がＤＶＤ光の光軸に整合するように調整されている。また、本実施の形態では、ｗ１、ｗ２は何れも９０μｍに設計されている。
【００１７】
ここで、発光部１０１ａと、発光部１０１ｂ、１０１ｃは、それぞれ、半導体製造プロセスによって、基板１０１ｄ、１０１ｅ上に形成される。このため、基板１０１ｄにおける発光部１０１ａの位置精度と、基板１０１ｅにおける発光部１０１ｂ、１０１ｃの位置精度は、十分に高められたものとなる。しかしながら、発光部が形成された基板１０１ｄ、１０１ｅは、電極、接合層等を介して、サブマウント１０１ｆ上に接合される。このため、サブマウント１０１ｆにおける基板１０１ｄ、１０１ｅの位置精度は低くなる。以上のような理由により、ｗ２には、−１〜＋１μｍ程度の誤差しか含まれないが、ｗ１には、−１０〜＋１０μｍ程度の誤差が生じてしまう。
【００１８】
回折格子１０２は、半導体レーザ１０１から出射されたＢＤ光、ＤＶＤ光、ＣＤ光のうち主としてＢＤ光をメインビームと２つのサブビームに分割する。回折格子１０２には、ＢＤ光の３つのビームがディスクのトラックに沿うよう回折溝が形成されている。なお、ＤＶＤ光とＣＤ光も回折格子１０２による回折作用を受けるが、これら光のサブビームの強度は、極めて小さくなっている。回折格子１０２は、１／２波長板と回折格子の複合素子である。
【００１９】
ＰＢＳミラー１０３は、回折格子１０２側から入射されたレーザ光を反射する。ＰＢＳミラー１０３は、入射面と出射面が正方形の輪郭を有する薄板状の平行平板となっており、その入射面に、偏光膜が形成されている。回折格子１０２は、ＢＤ光、ＤＶＤ光、ＣＤ光の偏光方向がＰＢＳミラー１０３に対してＳ偏光となるように配置されている。
【００２０】
１／４波長板１０４は、ＰＢＳミラー１０３によって反射されたレーザ光を円偏光に変換するとともに、ディスクからの反射光を、ディスクへ向かうときの偏光方向に直交する直線偏光に変換する。これにより、ディスクによって反射されたレーザ光はＰＢＳミラー１０３を透過して光検出器１１０へと導かれる。
【００２１】
コリメータレンズ１０５は、ＰＢＳミラー１０３によって反射されたレーザ光を平行光に変換する。レンズアクチュエータ１０６は、１／４波長板１０４とコリメータレンズ１０５を、コリメータレンズ１０５の光軸方向に駆動する。コリメータレンズ１０５が移動されることにより、レーザ光に生じる収差が補正される。
【００２２】
立ち上げミラー１０７は、コリメータレンズ１０５側から入射されたレーザ光を対物レンズ１０８に向かう方向（ｙ軸負方向）に反射する。対物レンズ１０８は、ホルダ１２１に保持され、ホルダ１２１は、対物レンズアクチュエータ１２２によって、フォーカス方向（ｙ軸方向）およびトラッキング方向（ディスクのラジアル方向）に駆動される。この
ようにホルダ１２１が駆動されることにより、対物レンズ１０８が、フォーカス方向およびトラッキング方向に駆動される。
【００２３】
なお、コリメータレンズ１０５側から立ち上げミラー１０７に入射するレーザ光の光軸は、ディスクのタンジェンシャル方向に対して６７．５度傾いている。また、立ち上げミラー１０７からディスクに向かうＢＤ光のメインビームと２つのサブビームの並び方向は、ディスクのタンジェンシャル方向と一致している。
【００２４】
ディスクからの反射光は、１／４波長板１０４によりＰＢＳミラー１０３に対してＰ偏光となる直線偏光に変換される。これにより、ディスクからの反射光は、ＰＢＳミラー１０３を透過する。
【００２５】
ＤＯＥ２００は、ＢＤ光、ＤＶＤ光、ＣＤ光を回折させる。ＤＯＥ２００は、ＢＤ光に対しては＋１次の回折効率が高くなるよう設計されている。すなわち、ＤＯＥ２００は、回折作用により、ＢＤ光の進行方向を変化させる波長選択性の回折格子である。ＢＤ光の＋１次回折光は、ＤＯＥ２００によってＤＶＤ光の光軸に近づく方向（ｘ軸正方向）に曲げられる。これにより、ＢＤ光のメインビームの光軸は、光検出器１１０の受光面上において、ＤＶＤ光の光軸と一致することになる。ＤＶＤ光、ＣＤ光は、一部がＤＯＥ２００によって回折され、残りはＤＯＥ２００を透過する。ＤＯＥ２００を透過したＤＶＤ光、ＣＤ光は、光検出器１１０上の対応するセンサへと導かれる。
【００２６】
非点収差板１０９は、平行平板であり、ＢＤ光、ＤＶＤ光、ＣＤ光の光軸に対して４５度傾くように配置されている。これにより、非点収差板１０９に収束状態で入射するＢＤ光、ＤＶＤ光、ＣＤ光に対して、非点収差が導入される。なお、ＰＢＳミラー１０３は、平行平板であり、且つ、ＢＤ光、ＤＶＤ光、ＣＤ光の光軸に対して傾いて配置されているため、各光には、ＰＢＳミラー１０３によっても非点収差が導入される。非点収差板１０９は、自身が導入する非点収差とＰＢＳミラー１０３によって導入される非点収差とによって、各光に適正な非点収差が導入されるよう、厚み、屈折率、傾き方向が調整されている。
【００２７】
光検出器１１０の受光面は、ｘｙ平面に平行であり、かかる受光面上には、ＢＤ光、ＤＶＤ光、ＣＤ光が照射される位置に、４分割センサが配置されている。光検出器１１０の受光面上に配置される４分割センサについては、追って図２（ｂ）を参照して説明する。
【００２８】
図２（ａ）は、光検出器１１０の受光面上におけるＢＤ光、ＤＶＤ光、ＣＤ光の照射位置を説明する図である。なお、図２（ａ）では、ＤＯＥ２００と光検出器１１０の受光面との間に配される非点収差板１０９の図示が、便宜上、省略されており、ＤＯＥ２００の入射面と出射面の輪郭は、便宜上、正方形となっている。
【００２９】
ＢＤ光、ＤＶＤ光、ＣＤ光は、この順に、ｘ軸正方向に並んだ状態でＤＯＥ２００に入射する。ＤＯＥ２００に入射するＢＤ光は、回折格子１０２によってメインビームとサブビームに分割されている。これら３つのビームの並び方向は、ディスクのタンジェンシャル方向に対応する方向となっており、ＤＯＥ２００の回折方向（ｘ軸方向）に垂直な方向に対して僅かに傾いた状態となっている。
【００３０】
ＤＯＥ２００に入射するＢＤ光の３つのビームは、ＤＯＥ２００の回折作用によりｘ軸正方向に曲げられる。なお、図２（ａ）では、ＢＤ光の＋１次以外の回折光と、ＤＶＤ光とＣＤ光の０次以外の回折光は、便宜上、図示されていない。
【００３１】
ＤＯＥ２００の回折作用により生じるＢＤ光の３つのビームの＋１次回折光は、ｚ軸正
方向にｘ軸正方向の成分が加えられた方向に進む。また、ＤＶＤ光とＣＤ光の０次回折光はｚ軸正方向に進む。このように、ＤＯＥ２００の回折作用により、光検出器１１０の受光面上において、ＢＤ光のメインビームの光軸と、ＤＶＤ光の光軸が一致する。
【００３２】
図２（ｂ）は、光検出器１１０の受光面上に配される４分割センサＳ１〜Ｓ４を示す図である。なお、図２（ｂ）は、光検出器１１０を裏面から（ｚ軸負方向に）見た場合の４分割センサＳ１〜Ｓ４を示している。
【００３３】
４分割センサＳ１は、ＢＤ光のメインビームとＤＶＤ光を受光し、４分割センサＳ２、Ｓ３は、ＢＤ光の２つのサブビームを受光し、４分割センサＳ４は、ＣＤ光を受光する。４分割センサＳ１〜Ｓ３は、これら３つの４分割センサの並び方向が、図２（ａ）に示すＢＤ光の３つのビームの並び方向に一致するよう傾いて配されている。４分割センサＳ４は、発光部１０１ａ〜１０１ｃの並び方向と同じ方向（ｘ軸方向）に、４分割センサＳ１と隣り合うように配される。
【００３４】
また、４分割センサＳ１〜Ｓ４は、それぞれ、センサＳ１１〜Ｓ１４と、センサＳ２１〜Ｓ２４と、センサＳ３１〜Ｓ３４と、センサＳ４１〜Ｓ４４からなる。ここで、図２（ｂ）において、４分割センサＳ１〜Ｓ３の並び方向をＹ軸方向とし、Ｙ軸方向に垂直な方向をＸ軸方向とすると、Ｘ軸方向とＹ軸方向は、それぞれ、ディスクのラジアル方向とタンジェンシャル方向に対応する方向となる。４分割センサＳ１〜Ｓ４の分割線は、Ｘ軸方向とＹ軸方向に一致するよう構成される。４分割センサＳ１〜Ｓ４を構成する各センサからの出力により、再生ＲＦ信号、フォーカスエラー信号、トラッキングエラー信号が生成される。
【００３５】
ここで、上述したように、間隔ｗ１には大きな誤差が生じ易い。このため、光ピックアップ装置１の光学系が設計位置に適正に配置されたとしても、光検出器１１０の受光面上において、ＢＤ光の３つのビームの照射位置が、４分割センサＳ１〜Ｓ３の中心からずれてしまう惧れがある。このように、ＢＤ光の照射位置がずれると、４分割センサＳ１〜Ｓ３から出力されるＢＤ光の検出信号の精度が低下してしまう。
【００３６】
そこで、本実施の形態では、まず、ＤＶＤ光とＣＤ光を用いて、光検出器１１０の位置調整が行われる。この調整では、光検出器１１０の受光面上において、ＤＶＤ光の照射位置が４分割センサＳ１の中心に位置付けられ、且つ、ＣＤ光の照射位置が４分割センサＳ４の中心に位置付けられるよう、ｘｙ平面内における光検出器１１０の位置が調整される。この場合、図１（ｃ）に示した間隔ｗ２のバラつきが小さいため、かかる調整により、ＤＶＤ光とＣＤ光は、それぞれ、４分割センサＳ１、Ｓ２の中心に位置付けられる。
【００３７】
しかしながら、このようにＤＶＤ光とＣＤ光を用いて光検出器１１０の位置調整が行われても、図１（ｃ）に示した間隔ｗ１のバラつきが大きいため、光検出器１１０の受光面上におけるＢＤ光のメインビームとサブビームの照射位置は、しばしば、４分割センサＳ１〜Ｓ３から外れてしまう。このため、４分割センサＳ１〜Ｓ３から出力されるＢＤ光の検出信号の精度が低下する。
【００３８】
かかる問題を解消するために、本実施の形態では、上述の調整の後、ＤＯＥ２００のｚ軸方向の位置を調整することにより、光検出器１１０の受光面上において、ＢＤ光のｘ軸方向の照射位置を調整する。また、ＤＯＥ２００のｘｙ平面内における回転方向の位置を調整して、ＤＯＥ２００の回折方向を調整することにより、光検出器１１０の受光面上において、ＢＤ光の回転方向の照射位置を調整する。こうして、光検出器１１０の受光面上において、ＢＤ光と、ＤＶＤ光と、ＣＤ光の照射位置が、適正な位置に位置付けられることとなる。
【００３９】
ＤＯＥ２００の位置調整を行う場合、ＢＤ光のみを光検出器１１０に照射させる。このとき、センサＳ１１〜Ｓ１４の検出信号を、それぞれＳ１１〜Ｓ１４と表すとする。ＢＤ光のメインビームが４分割センサＳ１に対してＸ軸正方向にどの程度ずれているかを示す信号ＰｏｓＸと、ＢＤ光のメインビームが４分割センサＳ１に対してＹ軸正方向にどの程度ずれているかを示す信号ＰｏｓＹは、以下の式（１）、（２）の演算により取得することができる。
【００４０】
ＰｏｓＸ＝｛（Ｓ１１＋Ｓ１２）−（Ｓ１３＋Ｓ１４）｝
／（Ｓ１１＋Ｓ１２＋Ｓ１３＋Ｓ１４）  …（１）
ＰｏｓＹ＝｛（Ｓ１１＋Ｓ１４）−（Ｓ１２＋Ｓ１３）｝
／（Ｓ１１＋Ｓ１２＋Ｓ１３＋Ｓ１４）  …（２）
【００４１】
本実施の形態では、ＤＯＥ２００を、ｚ軸方向とｘｙ平面平行な回転方向に移動させて、信号ＰｏｓＸ、ＰｏｓＹが０となるようＤＯＥ２００の位置を調整する。これにより、ＢＤ光の３つのビームの照射位置が、４分割センサＳ１〜Ｓ３上に位置付けられるようになる。
【００４２】
かかる調整を行うため、本実施の形態では、ＤＯＥ２００を、ｚ軸方向とｘｙ平面に平行な回転方向に移動可能に支持する支持機構が設けられている。以下、かかる支持機構について、図３以降を参照して説明する。
【００４３】
図３は、ＤＯＥ２００が支持部３００に設置された状態を示す図である。なお、図３には、便宜上、図１（ａ）、（ｂ）に示す光学系が設置されるハウジングＨのうち、ＤＯＥ２００を支持する支持部３００の近傍のみが示されている。図１（ａ）に示す各光学部材は、ハウジングＨの裏面側に形成された凹部内に設置される。したがって、図３に示す支持部３００は、ハウジングＨの裏面側に形成された凹部内に一体的に形成されている。図１（ｂ）に示す対物レンズ１０８、ホルダ１２１および対物レンズアクチュエータ１２２は、ハウジングＨの表面側に設置される。したがって、図１（ｂ）に示す立ち上げミラー１０７と対物レンズ１０８との間のハウジングＨの部分には、ＢＤ光、ＤＶＤ光およびＣＤ光を立ち上げミラー１０７から対物レンズ１０８へ通すための開口（図示せず）が設けられている。ハウジングＨは、たとえば、ＰＰＳ（ポリフェニレンスルファイド）により形成される。
【００４４】
図３に示すように、ＤＯＥ２００を支持する支持機構は、ハウジングＨに形成された支持部３００と、ＤＯＥ２００を支持部３００に押し付けるためのバネ部材４００からなっている。
【００４５】
図４（ａ）、（ｂ）は、ＤＯＥ２００の構成を示す図である。図４（ａ）は、ＤＯＥ２００をＺ軸正側から見た斜視図、図４（ｂ）は、ＤＯＥ２００をＺ軸負側から見た斜視図である。
【００４６】
図４（ａ）、（ｂ）を参照して、ＤＯＥ２００は、回転軸２０１と、回転軸２０１のｚ軸方向の中央付近からｙ軸負方向に延びる板部２０２とを備える。ＤＯＥ２００は、たとえば、ＣＯＰ（シクロオレフィンポリマー）等の樹脂材料を用いて、射出成型によって一体形成されている。回転軸２０１は、ｚ軸方向に平行に延びており、板部２０２の連結位置によって、ｚ軸方向に２つの部分に区分される。
【００４７】
板部２０２は、ｚ軸方向に所定の厚みを有する。板部２０２のｚ軸正側の面には、ＢＤ光、ＤＶＤ光、ＣＤ光に対し上述の回折作用を付与するブレーズ型の回折構造２０３が形
成されている。回折構造２０３には、所定の回折角でＢＤ光を一方向に回折するよう、所定のピッチで回折パターンが形成されている。回折構造２０３のピッチ方向は、図４（ａ）、（ｂ）において、ｘ軸方向である。よって、回折構造２０３は、ＢＤ光、ＤＶＤ光、ＣＤ光をｘ軸方向に回折する。なお、回折構造２０３は、ブレーズ型に限らず、ステップ型であっても良い。
【００４８】
また、板部２０２のｚ軸負側の面の、回折構造２０３が形成された領域に対応する領域（光透過領域２０４）は、他の領域に比べて面精度が高められている。すなわち、射出成形の際に用いられる金型において、光透過領域２０４に対応する領域が鏡面加工されている。
【００４９】
また、板部２０２のｙ軸負側の端部には、その中央に、突部２０５が、ｙ軸負方向に延びるように形成されている。この突部２０５は、後述のように、ＤＯＥ２００を位置調整する際に、ジグによって把持される。さらに、板部２０２には、ｚ軸正側に当接面２０６ａが形成され、また、ｚ軸負側に当接面２０６ｂが形成されている。これら、当接面２０６ａ、２０６ｂは、ｚ軸に垂直な平面である。
【００５０】
回転軸２０１には、ｚ軸正側の端部とｚ軸負側の端部に、それぞれ、円形の周面を有する円柱部２０７ａ、２０７ｂが形成されている。円柱部２０７ａ、２０７ｂの中心軸は、回転軸２０１の中心軸に一致している。また、円柱部２０７ａ、２０７ｂの径は、互いに同じである。さらに、円柱部２０７ａ、２０７ｂの上面には、それぞれ、傾斜部２０８ａ、２０８ｂが形成されている。傾斜部２０８ａ、２０８ｂは、回転軸２０１のｚ軸方向の中央に向かうほど径が大きくなる円弧状の周面となっている。また、傾斜部２０８ａ、２０８ｂは、ｚ軸方向の、当接面２０６ａ、２０６ｂに対応する位置において、回転軸２０１の円弧状の天面に繋がっている。円柱部２０７ａ、２０７ｂの下面には傾斜部２０８ａは形成されておらず、端部と同じ径の円柱面となっている。
【００５１】
傾斜部２０８ａ、２０８ｂは、射出成形の際に、樹脂が円柱部２０７ａ、２０７ｂの端部まで行き渡り易くするために形成されている。また、傾斜部２０８ａ、２０８ｂの上面が円弧状であることにより、後述のように、ＤＯＥ２００の位置調整時にＤＯＥ２００がｚ軸方向に移動され、バネ部材４００の押さえ部４０４ａ（図５（ｃ）参照）が傾斜部２０８ａ、２０８ｂの上面に乗り上げるような状態となっても、ＤＯＥ２００をスムーズに回転させることができる。なお、円柱部２０７ａ、２０７ｂのｚ軸方向の長さは、傾斜部２０８ａ、２０８ｂのｚ軸方向の長さよりもやや大きくなっている。
【００５２】
上記構成を有するＤＯＥ２００が射出成形により一体形成された後、回折構造２０３の表面と、光透過領域２０４に、反射防止膜が形成される。
【００５３】
図５（ａ）、（ｂ）は、支持部３００の構成を示す図である。図５（ａ）は、支持部３００をＺ軸正側から見た斜視図、図５（ｂ）は、支持部３００をＺ軸負側から見た斜視図である。
【００５４】
図５（ａ）、（ｂ）を参照して、支持部３００は、直方体形状を有している。支持部３００のｘ軸方向の幅はＷ１である。支持部３００の中央には、ＤＯＥ２００を収容するための開口３０１が形成されている。また、支持部３００の上面３０２には、ｘ軸方向に並ぶ２つの突部３０３ａ、３０３ｂが形成されている。突部３０３ａ、３０３ｂのｙ軸方向の高さは同じである。突部３０３ａ、３０３ｂは、それぞれ、傾斜面Ｄ１ａ、Ｄ１ｂを介して、支持部３００の側面に繋がっている。
【００５５】
また、支持部３００の上面３０２には、ｘ軸方向の中央位置に、Ｖ字状の溝部３０４ａ
、３０４ｂが形成されている。Ｖ字状の溝部３０４ａは、支持部３００の上面から４５度ｙ軸負方向に傾いた２つの平面を有している。同様に、Ｖ字状の溝部３０４ｂは、支持部３００の上面から４５度ｙ軸負方向に傾いた２つの平面を有している。溝部３０４ａ、３０４ｂの一方の平面は同一平面上にあり、溝部３０４ａ、３０４ｂの他方の平面は同一平面上にある。溝部３０４ａ、３０４ｂの底にある稜線は、ｚ軸方向に平行な同一の直線上に含まれる。
【００５６】
さらに、溝部３０４ａの開口３０１側には、溝部３０４ａへと続く当接面３０５ａが形成され、溝部３０４ｂの開口３０１側にも、溝部３０４ｂへと続く当接面３０５ｂが形成されている。これら当接面３０５ａ、３０５ｂは、ｚ軸方向に垂直な平面であり、ＤＯＥ２００の板部２０２が開口３０１に収容されたときに、板部２０２の当接面２０６ａ、２０６ｂと対向する。したがって、ＤＯＥ２００は、当接面２０６ａが支持部３００側の当接面３０５ａに当接するまでｚ軸正方向に移動可能であり、また、当接面２０６ｂが支持部３００側の当接面３０５ｂに当接するまでｚ軸負方向に移動可能である。
【００５７】
支持部３００の側面には、突部３０３ａ、３０３ｂの下方の位置に、それぞれ、突状の係止部３０６ａ、３０６ｂが形成されている。係止部３０６ａ、３０６ｂのｙ軸方向の高さは、互いに同じである。また、係止部３０６ａ、３０６ｂの上部には、支持部３００の側面へと続く傾斜面Ｄ２ａ、Ｄ２ｂが形成されている。
【００５８】
支持部３００のｚ軸正側の側面とｚ軸負側の側面には、それぞれ、開口３０１へと続く孔３０７ａ、３０７ｂが形成されている。孔３０７ａ、３０７ｂは、長方形の２つの角が丸められた同じ形状を有する。ｚ軸方向に見たとき、孔３０７ａ、３０７ｂは、完全に重なる。
【００５９】
なお、開口３０１は、ハウジングＨ（図３参照）の表面側から外部に開放されている。すなわち、支持部３００の内部は、側壁によって囲まれた空間であり、この空間は、ハウジングＨが切り欠かれた孔３０８によって、表面側から外部に開放されている。したがって、ＤＯＥ２００の板部２０２が支持部３００の開口３０１に収容されたとき、板部２０２のｙ軸負側の端部に形成された突部２０５（図４参照）が、孔３０８を介して、ハウジングＨの表面側から外部に露出する。
【００６０】
図５（ｃ）は、バネ部材４００の構成を示す斜視図である。
【００６１】
図５（ｃ）に示すように、バネ部材４００は、可撓性を有する薄板状の金属部材を折り曲げて形成されている。すなわち、バネ部材４００は、ｙ軸負方向に延びる２つの腕部４０１ａ、４０１ｂを上板部４０１ｃで連結した形状を有している。上板部４０１ｃは、ｘ−ｚ平面に平行である。腕部４０１ａは、ｙ−ｚ平面に平行な状態からややｘ軸負方向に傾いており、腕部４０１ｂは、ｙ−ｚ平面に平行な状態からややｘ軸正方向に傾いている。
【００６２】
腕部４０１ａ、４０１ｂには、ｘ軸方向に互いに向き合う領域に孔４０２ａ、４０２ｂが形成されている。孔４０２ａ、４０２ｂは、長方形の角を丸めた輪郭を有し、支持部３００側の係止部３０６ａ、３０６ｂ（図５ａ）、（ｂ）参照）の輪郭よりもやや大きく形成されている。
【００６３】
腕部４０１ａ、４０１ｂのｙ軸負側の端部には、それぞれ、鍔部４０３ａ、４０３ｂが延設されている。鍔部４０３ａは、ｙ−ｚ平面に平行な状態からややｘ軸正方向に傾いており、鍔部４０３ｂは、ｙ−ｚ平面に平行な状態からややｘ軸負方向に傾いている。したがって、鍔部４０３ａ、４０３ｂ間の距離は、ｙ軸負方向に進むにつれて次第に広がって
いる。鍔部４０３ａ、４０３ｂの上縁間の距離Ｗ２は、図５（ａ）に示す支持部３００のｘ軸方向の幅Ｗ１よりもやや狭い。
【００６４】
上板部４０１ｃのｘ軸方向の中央位置には、ｚ軸正方向およびｘ軸負方向に延びる押さえ部４０４ａ、４０４ｂが形成されている。押さえ部４０４ａ、４０４ｂは、ｘ軸方向に見ると緩やかなＶ字形状を有している。押さえ部４０４ａ、４０４ｂの裏側の面の最下点は、それぞれ、上板部４０１ｃの裏側の面よりも、所定の距離だけ低くなっている。
【００６５】
さらに、上板部４０１ｃの側縁には、ｙ軸方向に延びる２つの突片４０５ａ、４０５ｂが形成されている。これら突片４０５ａ、４０５ｂは、バネ部材４００を支持部３００に装着する際に、ピンセット等のジグによって把持される。
【００６６】
図６は、ＤＯＥ２００を支持部３００に装着する工程を説明する斜視図である。
【００６７】
図６を参照して、ＤＯＥ２００の装着時には、板部２０２が開口３０１に収容されよう、２つの円柱部２０７ａ、２０７ｂが、それぞれ、溝部３０４ａ、３０４ｂ上に載置される。さらに、腕部４０１ａ、４０１ｂが支持部３００の中央をｘ軸方向に挟むようにして、上側（ｙ軸負側）からバネ部材４００が支持部３００に嵌め込まれる。このとき、鍔部４０３ａ、４０３ｂが支持部３００側の突部３０３ａ、３０３ｂの傾斜面Ｄ１ａ、Ｄ１ｂに乗り上げ、腕部４０１ａ、４０１ｂが押し広げられる。さらにバネ部材４００がｙ軸負方向に押し込まれると、鍔部４０３ａ、４０３ｂが支持部３００側の係止部３０６ａ、３０６ｂの傾斜面Ｄ２ａ、Ｄ２ｂ（図５（ｂ）参照）に乗り上げ、腕部４０１ａ、４０１ｂがさらに押し広げられる。
【００６８】
その後、さらにバネ部材４００がｙ軸負方向に押し込まれると、腕部４０１ａ、４０１ｂに形成された孔４０２ａ、４０２ｂが支持部３００の係止部３０６ａ、３０６ｂ（図５（ｂ）参照）の位置に位置付けられ、腕部４０１ａ、４０１ｂの弾性復帰力によって、孔４０２ａ、４０２ｂが支持部３００の係止部３０６ａ、３０６ｂに嵌まり込む。こうして、バネ部材４００が支持部３００に装着される。このとき、バネ部材４００の押さえ部４０４ａ、４０４ｂの下面が、ＤＯＥ２００の円柱部２０７ａ、２０７ｂの上面、または、傾斜部２０８ａ、２０８ｂの上面に押し付けられ、押さえ部４０４ａ、４０４ｂがｙ軸正方向に撓む。これにより、押さえ部４０４ａ、４０４ｂに弾性復帰力が生じ、この力によって、ＤＯＥ２００が溝部３０４ａ、３０４ｂに押し付けられる。こうして、図３に示すように、ＤＯＥ２００が支持部３００に仮止めされる。
【００６９】
図３の状態では、未だ、ＤＯＥ２００が支持部３００に固着されていないため、ＤＯＥ２００は、ｚ軸方向に移動可能であり、且つ、ｘ−ｙ平面に平行な方向に回転可能である。
【００７０】
図７（ａ）、（ｂ）は、ＤＯＥ２００が支持部３００に仮止めされた状態を示す図である。図７（ａ）は、支持部３００をｚ軸負方向に見たときの側面図、図７（ｂ）は支持部３００をｙ軸負方向に見たときの平面図である。
【００７１】
図７（ａ）、（ｂ）を参照して、ＤＯＥ２００は、回転軸２０１が押さえ部４０４ａ、４０４ｂによって溝部３０４ａ、３０４ｂに押さえ付けられることにより、支持部３００に支持されている。ここで、押さえ部４０４ａ、４０４ｂには、円形の周面を有する円柱部２０７ａ、２０７ｂまたは円弧状の周面を有する傾斜部２０８ａ、２０８ｂが当接し、溝部３０４ａ、３０４ｂには、円形の周面を有する円柱部２０７ａ、２０７ｂが当接している。また、円柱部２０７ａ、２０７ｂの中心軸は一致している。このため、回転軸２０１は、各面間に働く静止摩擦力以上の力が中心軸周りに付与されると、滑らかに回転する
。また、溝部３０４ａ、３０４ｂは、ｚ軸方向に直線状に並んでいる。このため、回転軸２０１は、各面間に働く静止摩擦力以上の力がｚ軸方向に付与されると、ｚ軸方向に滑らかに移動する。
【００７２】
ＤＯＥ２００の位置調整時には、突部２０５が、ジグによって把持され、図７（ａ）のＡ１方向または図７（ｂ）のＢ方向（ｚ軸方向）に移動される。図７（ａ）に示すように、突部２０５は、孔３０８（図５（ａ）参照）を介して、ハウジングＨの表面側から外部に突出しており、この突出部分がジグによって把持される。突部２０５がＡ１方向に移動されると、これに伴い、回転軸２０１を軸として、ＤＯＥ２００が回転する。これにより、回折構造２０３によってＢＤ光に付与される回折作用の方向がｘ軸方向から傾き、ＢＤ光の回折方向が調整される。また、突部２０５がＢ方向（ｚ軸方向）に移動されると、これに伴い、回転軸２０１に沿って、ＤＯＥ２００が移動する。これにより、ＤＯＥ２００によって回折されたＢＤ光の照射位置が、光検出器１１０の受光面上において、ＤＯＥ２００の回折方向に平行に移動する。
【００７３】
図８（ａ）、（ｂ）を参照して、ＤＯＥ２００の調整は、ＤＯＥ２００によって回折されたＢＤ光のメインビームが４分割センサＳ１の中心に位置付けられるよう行われる。すなわち、ＢＤ光のメインビームと２つのサブビームが、受光面上において図８（ａ）に示す状態にあるとき、ＤＯＥ２００が、図７（ａ）のＡ１方向または図７（ｂ）のＢ方向（ｚ軸方向）に移動され、メインビームの位置が調整される。具体的には、上記式（１）、（２）の信号ＰｏｓＸ、ＰｏｓＹがゼロになる位置にＤＯＥ２００が移動される。これにより、図７（ｂ）のように、ＢＤ光のメインビームが４分割センサＳ１の中央に位置付けられ、これに伴い、ＢＤ光の２つのサブビームが、それぞれ、４分割センサＳ２、Ｓ３の中央に位置付けられる。
【００７４】
こうして、位置調整が行われた後、ＤＯＥ２００は支持部３００に接着固定される。この場合、接着剤は、たとえば、凹部３０１の内壁面と板部２０２の側面との間の隙間（図７（ａ）のＰの位置）に塗布される。接着剤の塗布は、ハウジングＨの表面側から行われる。
【００７５】
＜実施の形態の効果＞
本実施の形態によれば、以下の効果が奏され得る。
【００７６】
ＤＯＥ２００は、樹脂成型により一体形成されるため、別途、ＤＯＥを保持するホルダを用いる必要がない。よって、部品点数の削減と支持機構の小型化を図ることができる。
【００７７】
ＤＯＥ２００は、回転軸２０１により吊られるようにして、支持部３００に支持されるため、コンパクトな形状でもって、ｚ軸方向におけるＤＯＥ２００の移動を安定して行うことができる。ｚ軸方向にＤＯＥ２００を安定的に移動させるためには、ＤＯＥ２００の被支持部をｚ軸方向に長くする必要がある。この長さを確保するため、たとえば、ｚ軸方向に長い筒状のホルダにＤＯＥを装着する方法が考えられるが、この場合、筒状のホルダ自身が大型化し、結果、支持機構も全体的に大型化する。また、筒状のホルダにＤＯＥを装着する必要があるため、部品点数が増加し、且つ、煩雑な作業が必要となる。これに対し、本実施の形態によれば、回転軸２０１によって被支持部のｚ軸方向の長さが確保されるため、ＤＯＥ２００を安定的に移動させることができる。また、回転軸２０１のみが長い形状であるため、筒状のホルダを設ける場合に比べ、被移動部の形状を小型化することができ、結果、支持機構も全体的に小型化することができる。さらに、ＤＯＥをホルダに装着するといった煩雑な作業も不要となる。
【００７８】
ＤＯＥ２００は、Ｖ字状の溝部３０４ａ、３０４ｂに円柱部２０７ａ、２０７ｂが載置
されることにより支持部３００に支持されるため、回転軸２０１を軸として滑らかに回転する。よって、回転方向におけるＤＯＥ２００の位置調整を円滑に行うことができる。
【００７９】
また、円柱部２０７ａ、２０７ｂまたは傾斜部２０８ａ、２０８ｂが押さえ部４０４ａ、４０４ｂによって押さえられるため、ＤＯＥ２００を円滑に回転させることができる。また、図５（ｃ）に示すように、押さえ部４０４ａ、４０４ｂは、ｘ軸方向に見て緩やかなＶ字形状となっているため、Ｖ字の底の部分が円柱部２０７ａ、２０７ｂまたは傾斜部２０８ａ、２０８ｂに当接することとなり、円柱部２０７ａ、２０７ｂおよび傾斜部２０８ａ、２０８ｂに対する押さえ部４０４ａ、４０４ｂの接触面積が抑制される。これにより、ＤＯＥ２００に働く静止摩擦力が抑制され、ＤＯＥ２００をさらに円滑に回転させることができる。
【００８０】
以上、本発明の実施の形態について説明したが、本発明は、上記実施の形態に何ら制限されるものではなく、また、本発明の実施の形態も上記以外に種々の変更が可能である。
【００８１】
図９（ａ）ないし（ｃ）は、変更例に係るＤＯＥ２００の構成を示す図である。図９（ａ）は、ＤＯＥ２００をｚ軸正側から見た斜視図、図９（ｂ）、（ｃ）は、それぞれ、ＤＯＥ２００をｚ軸正側およびｚ軸負側から見た側面図である。
【００８２】
本変更例に係るＤＯＥ２００は、ｙ−ｚ平面について対称な形状を有する。また、板部２０２のｚ軸正側の面に、鍔部２０９ａ、２０９ｂが一体的に形成され、ｚ軸負側の面にも、鍔部２１０ａ、２１０ｂが一体的に形成されている。ＤＯＥ２００のその他の構成は、上記実施の形態に係るＤＯＥ２００と同様である。
【００８３】
鍔部２０９ａ、２０９ｂは、板部２０２のｚ軸正側の面の下側の２つの角に沿うように設けられている。鍔部２０９ａの外側面は、板部２０２の外側面に、段差なく繋がっており、鍔部２０９ｂの外側面も、板部２０２の外側面に、段差なく繋がっている。
【００８４】
同様に、鍔部２１０ａ、２１０ｂは、板部２０２のｚ軸負側の面の下側の２つの角に沿うように設けられている。鍔部２１０ａの外側面は、板部２０２の外側面に、段差なく繋がっており、鍔部２１０ｂの外側面も、板部２０２の外側面に、段差なく繋がっている。
【００８５】
このように鍔部２０９ａ、２０９ｂ、２１０ａ、２１０ｂを設けることにより、上記実施の形態に係る図４（ａ）、（ｂ）のＤＯＥ２００に比べ、板部２０２のｘ軸正側およびｘ軸負側の側面の下端の幅がｚ軸方向に広げられる。なお、鍔部２０９ａ、２０９ｂ、２１０ａ、２１０ｂのｚ軸方向の高さは、互いに同じである。
【００８６】
本変更例によれば、以下のように、ＤＯＥ２００に対する接着剤の塗布作業を、簡易かつ円滑に行えるとの効果がさらに奏され得る。
【００８７】
図１０（ａ）、（ｂ）は、接着剤の塗布作業を説明する図である。図１０（ａ）は、接着剤が塗布される前の状態を、ハウジングＨの表面側から見た斜視図、図１０（ｂ）は、接着剤が塗布された後の状態を、ハウジングＨの表面側から見た斜視図である。なお、図１０（ａ）、（ｂ）には、ハウジングＨのうち、支持部３００近傍の領域のみが切りだされた状態で示されている。
【００８８】
図１０（ａ）を参照して、支持部３００には、ＤＯＥ２００の側面と対向する位置に、傾斜面３０９ａ、３０９ｂが形成されている。傾斜面３０９ａ、３０９ｂは、ｘ−ｚ平面に対して略４５度の角度を持つ平面である。傾斜面３０９ａのｚ軸方向の長さは、鍔部２０９ａ、２１０ａを含めたＤＯＥ２００のｚ軸方向の長さｄよりも、所定長さだけ長くな
っている。同様に、傾斜面３０９ｂのｚ軸方向の長さは、鍔部２０９ｂ、２１０ｂを含めたＤＯＥ２００のｚ軸方向の長さｄよりも、所定長さだけ長くなっている。傾斜面３０９ａ、３０９ｂが設けられることにより、傾斜面３０９ａ、３０９とＤＯＥ２００の側面との間に空間が生じ、この空間に接着剤が溜まり易くなる。これにより、接着剤の塗布作業を円滑に行うことができる。
【００８９】
図１０（ａ）の状態において、上記のように、ＤＯＥ２００の位置調整が行われる。かかる位置調整の際に、ＤＯＥ２００は、図１０（ａ）の破線矢印の方向（ｚ軸方向）に移動される。調整後のＤＯＥ２００の位置は、全てのＤＯＥ２００について一律ではなく、ＤＯＥ２００毎に異なる。このため、接着剤を塗布する際、ｚ軸方向のＤＯＥ２００の位置は、ＤＯＥ２００毎にずれることになる。かかるＤＯＥ２００の位置ずれは、接着剤の塗布を手作業で行う場合には問題となりにくい。
【００９０】
しかしながら、接着剤の塗布が装置によって自動化されている場合、接着剤の塗布位置は、たとえば、図１０（ａ）の位置Ｐに固定される。この場合、上記実施の形態のＤＯＥ２００のように板部２０２に厚みが比較的薄いと、調整後のＤＯＥ２００位置によっては、板部２００の側面の位置が、接着剤の塗布位置Ｐからｚ軸方向にずれる場合が起こり得る。こうなると、接着剤が、板部２０２の側面と傾斜面３０９ａ、３０９ｂとの間に適正に架からないこともあり、また、塗布された接着剤が、板部２０２の側面から回折構造２０３または光透過領域２０４（図９（ｃ）参照）に流れ込む惧れもある。
【００９１】
これに対し、本変更例では、上記のように鍔部２０９ａ、２０９ｂ、２１０ａ、２１０ｂが設けられているため、傾斜面３０９ａ、３０９ｂに対向する位置において、ＤＯＥ２００の幅が広げられている。すなわち、鍔部２０９ａ、２０９ｂ、２１０ａ、２１０ｂによって、接着剤の塗布領域が拡張されている。したがって、調整後のＤＯＥ２００の位置に拘わらず、接着剤の塗布位置ＰにＤＯＥ２００の側面（板部２００または鍔部２０９ａ、２０９ｂ、２１０ａ、２１０ｂの外側面）が位置付けられるようになる。このため、接着剤を、ＤＯＥ２００の側面（塗布領域）と傾斜面３０９ａ、３０９ｂとの間に適正に塗布することができる。また、鍔部２０９ａ、２０９ｂ、２１０ａ、２１０ｂが障壁となって、塗布された接着剤が、ＤＯＥ２００の側面から回折構造２０３または光透過領域２０４（図９（ｃ）参照）に流れ込むことを抑制することができる。
【００９２】
こうして、図１０（ｂ）に示すように、接着剤５００ａが、傾斜面３０９ａとＤＯＥ２００の側面（板部２００または鍔部２０９ａ、２１０ａの外側面）との間に塗布され、同様に、接着剤５００ｂが、傾斜面３０９ｂとＤＯＥ２００の側面（板部２００または鍔部２０９ｂ、２１０ｂの外側面）との間に塗布される。
【００９３】
このように、本変更例によれば、ＤＯＥ２００に対する接着剤の塗布作業を、簡易かつ円滑に行うことができる。
【００９４】
なお、本変更例では、板部２０２のｚ軸正側の面とｚ軸負側の面の両方に鍔部２０９ａ、２０９ｂ、２１０ａ、２１０ｂを設けたが、何れか一方の面のみに鍔部を設ける構成も想定され得る。たとえば、接着剤の塗布位置Ｐが板部２０２の厚みの中央からｚ軸正方向にずれている場合、ｚ軸負側の鍔部２０９ｂ、２１０ｂが省略されることもあり得る。また、本変更例では、鍔部２０９ａ、２０９ｂ、２１０ａ、２１０ｂの高さが互いに同じであったが、鍔部２０９ａ、２０９ｂ、２１０ａ、２１０ｂの高さは適宜変更され得る。たとえば、接着剤の塗布位置Ｐが板部２０２の厚みの中央からｚ軸正方向にずれている場合、ｚ軸負側の鍔部２０９ｂ、２１０ｂの高さよりも、ｚ軸正側の鍔部２０９ａ、２１０ａの高さが高く設定され得る。
【００９５】
すなわち、鍔部は、位置調整によりＤＯＥ２００が最もｚ軸正方向またはｚ軸負方向に変位した位置に位置付けられても、自動化された装置における接着剤の塗布位置に、板部２０２または鍔部の外側面が位置付けられ、且つ、塗布された接着剤が回折構造２０３または光透過領域２０４へ流れ込むことが抑制されるように形成されれば良い。なお、本変更例では、接着剤５００ａ、５００ｂが塗布されたが、接着剤５００ａのみが塗布される場合には、鍔部２０９ｂ、２１０ｂは省略され得る。接着剤５００ｂのみが塗布される場合も同様である。また、接着剤を適正に塗布できれば、鍔部２０９ａ、２０９ｂ、２１０ａ、２１０ｂの外側面と板部２０２の外側面との間に段差があっても良い。
【００９６】
また、本変更例における鍔部２０９ａ、２０９ｂ、２１０ａ、２１０ｂと同様の機能を実現できれば、鍔部２０９ａ、２０９ｂ、２１０ａ、２１０ｂに替えて、突部など、他の構造が設けられても良い。すなわち、ＤＯＥ２００における接着剤の塗布領域をｚ軸方向に広げることができれば、鍔部２０９ａ、２０９ｂ、２１０ａ、２１０ｂ以外の他の構造がＤＯＥ２００に一体的に形成されていても良い。また、接着剤の塗布位置は、上記変更例に示した位置に限られない。接着剤の塗布位置が変更されるのに応じて、鍔部や他の構造の配置位置も変更される。
【００９７】
また、上記実施の形態では、光検出器１１０の受光面上において、ＢＤ光がＤＶＤ光の光軸に一致するようＤＯＥ２００が構成されたが、ＢＤ光がＣＤ光の光軸に一致するようＤＯＥ２００が構成されても良い。この場合、この変更に伴って、センサレイアウトも変更される。
【００９８】
また、上記実施の形態では、ＢＤ光がＤＶＤ光の光軸に一致するようＤＯＥ２００が構成されたが、ＤＶＤ光またはＣＤ光がＢＤ光の光軸に一致するようＤＯＥ２００が構成されても良い。この場合も、この変更に伴って、センサレイアウトも変更される。
【００９９】
また、上記実施の形態では、３波長互換型の光ピックアップ装置が例示されたが、２波長互換タイプの光ピックアップ装置に本発明を適用することも可能である。たとえば、ＤＶＤ光とＣＤ光を対応する光ディスクに照射する２波長互換タイプの光ピックアップ装置に本発明を適用する場合、光検出器の受光面上において、ＤＶＤ光とＣＤ光の何れか一方を他方の光軸に一致させるよう、ＤＯＥが構成される。
【０１００】
さらに、ＤＯＥ２００や支持部３００、バネ部材４００の構成も、上記実施の形態のものに限らず、適宜変更可能である。たとえば、上記実施の形態では、溝部３０４ａ、３０４ｂの傾斜面が平面であったが、これら傾斜面が膨らんだ曲面またはやや凹んだ曲面であっても良い。また、円柱部２０７ａ、２０７ｂや傾斜部２０８ａ、２０８ｂのｚ軸方向の長さや、押さえ部４０４ａ、４０４ｂの押さえ位置も、適宜、変更可能である。さらには、円柱部２０７ａ、２０７ｂは同軸であれば径は異なっていても良い。円柱部２０７ａ、２０７ｂの径が異なる場合、回転軸２０１がｚ軸に平行となる状態でＤＯＥ２００が支持されるよう、溝部３０４ａ、３０４ｂのｙ軸方向の高さが調整される。
【０１０１】
この他、本発明の実施の形態は、特許請求の範囲に示された技術的思想の範囲内において、適宜、種々の変更が可能である。
【符号の説明】
【０１０２】
１  …  光ピックアップ装置
１０１  …  半導体レーザ（レーザ光源）
１０１ａ  …  発光部（第２の発光部）
１０１ｂ  …  発光部（第１の発光部）
１１０  …  光検出器
２００  …  ＤＯＥ（回折素子）
２０１  …  回転軸
２０２  …  板部
２０３  …  回折構造
２０４  …  光透過領域
２０５  …  突部
２０７ａ、２０７ｂ  …  円柱部（第１、第２の軸部、第１、第２の円柱部）
２０８ａ、２０８ｂ  …  傾斜部（第１、第２の軸部）
３００  …  支持部
３０４ａ、３０４ｂ  …  溝部（第１、第２の溝部）
３０８  …  孔（開口）
４００  …  バネ部材
４０４ａ、４０４ｂ  …  押さえ部（第１、第２の押さえ部）
Ｓ１  …  ４分割センサ（センサ）
２０９ａ、２０９ｂ、２１０ａ、２１０ｂ  …  鍔部（隆起部、鍔部）
３０９ａ、３０９ｂ  …  傾斜面
【図１】
2015122131.tif 000003
【図２】
2015122131.tif 000004
【図３】
2015122131.tif 000005
【図４】
2015122131.tif 000006
【図５】
2015122131.tif 000007
【図６】
2015122131.tif 000008
【図７】
2015122131.tif 000009
【図８】
2015122131.tif 000010
【図９】
2015122131.tif 000011
【図１０】
2015122131.tif 000012